(57)【特許請求の範囲】
【請求項１】
ネットワーク及び公衆回線に接続され、前記ネットワーク上の他装置からのファクシミリ送信のリダイレクト要求に応答して前記他装置からのファクシミリ送信を前記他装置から指定された接続先装置にリダイレクトするネットワークファクシミリ装置において、前記他装置からのファクシミリ送信のリダイレクト要求を監視する送信要求監視手段と、前記送信要求監視手段により検出されたファクシミリ送信のリダイレクト要求に付帯して通知される接続先指定情報を検出する接続先指定情報受信手段と、前記接続先指定情報受信手段により検出された接続先指定情報により特定される接続先が電話番号またはメールアドレスのいずれであるかを判別する接続先判別手段と、前記接続先判別手段により判別された接続先指定情報が電話番号の場合は、前記他装置に対してビジー応答を返してリダイレクト処理を中止する電話番号指定リダイレクト要求拒否手段とを備えたことを特徴とするネットワークファクシミリ装置。
【請求項２】
ネットワーク及び公衆回線に接続され、前記ネットワーク上の他装置からのファクシミリ送信のリダイレクト要求に応答して前記他装置からのファクシミリ送信を前記他装置から指定された接続先装置にリダイレクトするネットワークファクシミリ装置において、前記他装置からのファクシミリ送信のリダイレクト要求を監視する送信要求監視手段と、前記送信要求監視手段により検出されたファクシミリ送信のリダイレクト要求に付帯して通知される接続先指定情報を検出する接続先指定情報受信手段と、前記接続先指定情報受信手段により検出された接続先指定情報により特定される接続先が電話番号またはメールアドレスのいずれであるかを判別する接続先判別手段と、前記接続先判別手段により判別された接続先指定情報がメールアドレスの場合は、前記他装置に対してビジー応答を返してリダイレクト処理を中止するメールアドレス指定リダイレクト要求拒否手段とを備えたことを特徴とするネットワークファクシミリ装置。
【請求項３】
ネットワーク及び公衆回線に接続され、前記ネットワーク上の他装置からのファクシミリ送信のリダイレクト要求に応答して前記他装置からのファクシミリ送信を前記他装置から指定された接続先装置にリダイレクトするネットワークファクシミリ装置において、前記他装置からのファクシミリ送信のリダイレクト要求を監視する送信要求監視手段と、前記送信要求監視手段により検出されたファクシミリ送信のリダイレクト要求に付帯して通知される接続先指定情報を検出する接続先指定情報受信手段と、前記接続先指定情報受信手段により検出された接続先指定情報により特定される接続先が電話番号またはメールアドレスのいずれであるかを判別する接続先判別手段と、前記接続先判別手段により判別された接続先指定情報が電話番号の場合は、前記他装置に対して通信許可応答を返してリダイレクト処理を続行する電話番号指定リダイレクト要求受諾手段とを備えたことを特徴とするネットワークファクシミリ装置。
【請求項４】
ネットワーク及び公衆回線に接続され、前記ネットワーク上の他装置からのファクシミリ送信のリダイレクト要求に応答して前記他装置からのファクシミリ送信を前記他装置から指定された接続先装置にリダイレクトするネットワークファクシミリ装置において、前記他装置からのファクシミリ送信のリダイレクト要求を監視する送信要求監視手段と、前記送信要求監視手段により検出されたファクシミリ送信のリダイレクト要求に付帯して通知される接続先指定情報を検出する接続先指定情報受信手段と、前記接続先指定情報受信手段により検出された接続先指定情報により特定される接続先が電話番号またはメールアドレスのいずれであるかを判別する接続先判別手段と、前記接続先判別手段により判別された接続先指定情報がメールアドレスの場合は、前記他装置に対して通信許可応答を返してリダイレクト処理を続行するメールアドレス指定リダイレクト要求受諾手段とを備えたことを特徴とするネットワークファクシミリ装置。
【請求項５】
ネットワーク及び公衆回線に接続され、前記ネットワーク上の他装置からのファクシミリ送信のリダイレクト要求に応答して前記他装置からのファクシミリ送信を前記他装置から指定された接続先装置にリダイレクトするネットワークファクシミリ装置において、前記他装置からのファクシミリ送信のリダイレクト要求を監視する送信要求監視手段と、前記送信要求監視手段により検出されたファクシミリ送信のリダイレクト要求に付帯して通知される接続先指定情報を検出する接続先指定情報受信手段と、前記接続先指定情報受信手段により検出された接続先指定情報により特定される接続先が電話番号または／及びメールアドレスであるかを判別する接続先判別手段と、前記接続先判別手段により判別された接続先指定情報として電話番号及びメールアドレスが混在している場合は、前記他装置に対してビジー応答を返してリダイレクト処理を中止する混在指定リダイレクト要求拒否手段とを備えたことを特徴とするネットワークファクシミリ装置。
【請求項６】
装置が、接続先の指定のみでは送信できない利用者制限モードにある場合に、前記送信要求監視手段により検出されたファクシミリ送信のリダイレクト要求に付帯して通知される識別情報を検出する識別情報受信手段と、前記識別情報受信手段により検出された識別情報が、予め登録・記憶されている識別情報と一致するか否かを判別する識別情報一致判別手段と、前記識別情報一致判別手段により不一致と判別された場合には、前記接続先判別手段による判別結果に関わらず、前記他装置に対してビジー応答を返してリダイレクト処理を中止するリダイレクト利用者制限手段とを更に備えたことを特徴とする請求項１、２、３、４または５のいずれかに記載のネットワークファクシミリ装置。
【請求項７】
前記識別情報受信手段により検出された識別情報が、予め登録・記憶されている特別識別情報と一致するか否かを判別する特別識別情報一致判別手段と、前記特別識別情報一致判別手段により一致と判別された場合には、前記接続先判別手段による判別結果に関わらず、前記他装置に対して通信許可応答を返してリダイレクト処理を続行する利用特別許可手段とを更に備えたことを特徴とする請求項６に記載のネットワークファクシミリ装置。
【請求項８】
前記識別情報受信手段により検出された識別情報が、利用者制限モードの解除を示すものであるか、または、利用者制限モードへの設定を示すものであるかを判別する利用者制限モード制御用識別情報検出手段と、前記利用者制限モード制御用識別情報検出手段により利用者制限モードの解除を示すものと判別された場合には前記利用者制限モードを解除する一方、前記利用者制限モード制御用識別情報検出手段により利用者制限モードへの設定を示すものと判別された場合には前記利用者制限モードに設定する利用者制限制御手段とを更に備えたことを特徴とする請求項６または７のいずれかに記載のネットワークファクシミリ装置。
【発明の詳細な説明】
【０００１】
【発明の属する技術分野】
本発明は、ネットワークファクシミリ装置に関し、特に、ネットワーク及び公衆回線に接続され、前記ネットワーク上の他装置からのファクシミリ送信のリダイレクト要求に応答して前記他装置からのファクシミリ送信を前記他装置から指定された接続先装置にリダイレクトするネットワークファクシミリ装置に関する。
【０００２】
【従来の技術】
ネットワーク及び公衆回線に接続され、前記ネットワーク上のパーソナルコンピュータ（ＰＣ）等の他装置からのファクシミリ送信のリダイレクト要求に応答して前記他装置からのファクシミリ送信を前記他装置から指定された接続先装置にリダイレクトするネットワークファクシミリ装置に関連した公知技術としては、例えば、特開平10-136005号公報に見られる「ネットワーク通信システム」のように、モデム情報をネットワークにリダイレクトするものが知られている。
【０００３】
【発明が解決しようとする課題】
しかし、上記公知技術では、接続先装置が、公衆回線に接続された、電話番号により指定する種別の装置なのか、または、ネットワークに接続された、メールアドレスにより指定する種別の装置なのか等によって送信制限をしたりＦコード等の識別情報によりリダイレクト要求元の利用者制限を行う方法については何ら考慮されていないという問題点があった。
【０００４】
また、特開平9-163465号公報に見られる「ネットワークファクシミリ装置の制御方式」のようにドメイン名のメールアドレスユーザーに限り送信を許可する技術は既に知られているが、同様に、接続先装置が、公衆回線に接続された、電話番号により指定する種別の装置なのか、または、ネットワークに接続された、メールアドレスにより指定する種別の装置なのか等によって送信制限をしたりＦコード等の識別情報によりリダイレクト要求元の利用者制限を行う方法については何ら考慮されていないという問題点があった。
【０００５】
本発明は係る事情に鑑みてなされたものであり、接続先装置の種別によりリダイレクト送信の制限を行うことができ、また、リダイレクト要求元からのリダイレクト要求に対しても利用者制限を適用できるネットワークファクシミリ装置を提供することを目的とする。
【０００６】
【課題を解決するための手段】
請求項１に記載のネットワークファクシミリ装置は、ネットワーク及び公衆回線に接続され、前記ネットワーク上の他装置からのファクシミリ送信のリダイレクト要求に応答して前記他装置からのファクシミリ送信を前記他装置から指定された接続先装置にリダイレクトするネットワークファクシミリ装置において、前記他装置からのファクシミリ送信のリダイレクト要求を監視する送信要求監視手段と、前記送信要求監視手段により検出されたファクシミリ送信のリダイレクト要求に付帯して通知される接続先指定情報を検出する接続先指定情報受信手段と、前記接続先指定情報受信手段により検出された接続先指定情報により特定される接続先が電話番号またはメールアドレスのいずれであるかを判別する接続先判別手段と、前記接続先判別手段により判別された接続先指定情報が電話番号の場合は、前記他装置に対してビジー応答を返してリダイレクト処理を中止する電話番号指定リダイレクト要求拒否手段とを備えたことを特徴とする。
【０００７】
請求項２に記載のネットワークファクシミリ装置は、ネットワーク及び公衆回線に接続され、前記ネットワーク上の他装置からのファクシミリ送信のリダイレクト要求に応答して前記他装置からのファクシミリ送信を前記他装置から指定された接続先装置にリダイレクトするネットワークファクシミリ装置において、前記他装置からのファクシミリ送信のリダイレクト要求を監視する送信要求監視手段と、前記送信要求監視手段により検出されたファクシミリ送信のリダイレクト要求に付帯して通知される接続先指定情報を検出する接続先指定情報受信手段と、前記接続先指定情報受信手段により検出された接続先指定情報により特定される接続先が電話番号またはメールアドレスのいずれであるかを判別する接続先判別手段と、前記接続先判別手段により判別された接続先指定情報がメールアドレスの場合は、前記他装置に対してビジー応答を返してリダイレクト処理を中止するメールアドレス指定リダイレクト要求拒否手段とを備えたことを特徴とする。
【０００８】
請求項３に記載のネットワークファクシミリ装置は、ネットワーク及び公衆回線に接続され、前記ネットワーク上の他装置からのファクシミリ送信のリダイレクト要求に応答して前記他装置からのファクシミリ送信を前記他装置から指定された接続先装置にリダイレクトするネットワークファクシミリ装置において、前記他装置からのファクシミリ送信のリダイレクト要求を監視する送信要求監視手段と、前記送信要求監視手段により検出されたファクシミリ送信のリダイレクト要求に付帯して通知される接続先指定情報を検出する接続先指定情報受信手段と、前記接続先指定情報受信手段により検出された接続先指定情報により特定される接続先が電話番号またはメールアドレスのいずれであるかを判別する接続先判別手段と、前記接続先判別手段により判別された接続先指定情報が電話番号の場合は、前記他装置に対して通信許可応答を返してリダイレクト処理を続行する電話番号指定リダイレクト要求受諾手段とを備えたことを特徴とする。
【０００９】
請求項４に記載のネットワークファクシミリ装置は、ネットワーク及び公衆回線に接続され、前記ネットワーク上の他装置からのファクシミリ送信のリダイレクト要求に応答して前記他装置からのファクシミリ送信を前記他装置から指定された接続先装置にリダイレクトするネットワークファクシミリ装置において、前記他装置からのファクシミリ送信のリダイレクト要求を監視する送信要求監視手段と、前記送信要求監視手段により検出されたファクシミリ送信のリダイレクト要求に付帯して通知される接続先指定情報を検出する接続先指定情報受信手段と、前記接続先指定情報受信手段により検出された接続先指定情報により特定される接続先が電話番号またはメールアドレスのいずれであるかを判別する接続先判別手段と、前記接続先判別手段により判別された接続先指定情報がメールアドレスの場合は、前記他装置に対して通信許可応答を返してリダイレクト処理を続行するメールアドレス指定リダイレクト要求受諾手段とを備えたことを特徴とする。
【００１０】
請求項５に記載のネットワークファクシミリ装置は、ネットワーク及び公衆回線に接続され、前記ネットワーク上の他装置からのファクシミリ送信のリダイレクト要求に応答して前記他装置からのファクシミリ送信を前記他装置から指定された接続先装置にリダイレクトするネットワークファクシミリ装置において、前記他装置からのファクシミリ送信のリダイレクト要求を監視する送信要求監視手段と、前記送信要求監視手段により検出されたファクシミリ送信のリダイレクト要求に付帯して通知される接続先指定情報を検出する接続先指定情報受信手段と、前記接続先指定情報受信手段により検出された接続先指定情報により特定される接続先が電話番号または／及びメールアドレスであるかを判別する接続先判別手段と、前記接続先判別手段により判別された接続先指定情報として電話番号及びメールアドレスが混在している場合は、前記他装置に対してビジー応答を返してリダイレクト処理を中止する混在指定リダイレクト要求拒否手段とを備えたことを特徴とするネットワークファクシミリ装置。
【００１１】
請求項６に記載のネットワークファクシミリ装置は、請求項１、２、３、４または５のいずれかに記載のネットワークファクシミリ装置において、装置が、接続先の指定のみでは送信できない利用者制限モードにある場合に、前記送信要求監視手段により検出されたファクシミリ送信のリダイレクト要求に付帯して通知される識別情報を検出する識別情報受信手段と、前記識別情報受信手段により検出された識別情報が、予め登録・記憶されている識別情報と一致するか否かを判別する識別情報一致判別手段と、前記識別情報一致判別手段により不一致と判別された場合には、前記接続先判別手段による判別結果に関わらず、前記他装置に対してビジー応答を返してリダイレクト処理を中止するリダイレクト利用者制限手段とを更に備えたことを特徴とする。
【００１２】
請求項７に記載のネットワークファクシミリ装置は、請求項６に記載のネットワークファクシミリ装置において、前記識別情報受信手段により検出された識別情報が、予め登録・記憶されている特別識別情報と一致するか否かを判別する特別識別情報一致判別手段と、前記特別識別情報一致判別手段により一致と判別された場合には、前記接続先判別手段による判別結果に関わらず、前記他装置に対して通信許可応答を返してリダイレクト処理を続行する利用特別許可手段とを更に備えたことを特徴とする。
【００１３】
請求項８に記載のネットワークファクシミリ装置は、請求項６または７のいずれかに記載のネットワークファクシミリ装置において、前記識別情報受信手段により検出された識別情報が、利用者制限モードの解除を示すものであるか、または、利用者制限モードへの設定を示すものであるかを判別する利用者制限モード制御用識別情報検出手段と、前記利用者制限モード制御用識別情報検出手段により利用者制限モードの解除を示すものと判別された場合には前記利用者制限モードを解除する一方、前記利用者制限モード制御用識別情報検出手段により利用者制限モードへの設定を示すものと判別された場合には前記利用者制限モードに設定する利用者制限制御手段とを更に備えたことを特徴とする。
【００１４】
【発明の実施の形態】
以下、添付図面を参照しながら、本発明の実施の形態を詳細に説明する。
【００１５】
本実施の形態に係るネットワークファクシミリ装置ＦＸは、ローカルエリアネットワーク上でのデータのやりとりの機能と、公衆回線を介して行われるファクシミリ伝送手順によるファクシミリデータのやりとりの機能を備えると共に、ローカルエリアネットワークを介して受信した電子メールに含まれる画情報を公衆網のファクシミリ装置へ送信するネットワークファクシミリ装置で、図１に本実施の形態に係るネットワークファクシミリ装置ＦＸを含むネットワーク構成について示す。
【００１６】
同図において、ローカルエリアネットワーク（LAN）には、他装置となる複数のワークステーション装置ＷＳ１〜ＷＳｎ、メールサーバ装置ＳＭ、そして、本実施の形態に係るネットワークファクシミリ装置ＦＸが接続されている。
【００１７】
また、ローカルエリアネットワーク（LAN）は、ルータ装置ＲＴを介してインターネットへと接続され、他のローカルエリアネットワーク（LAN）等に接続されているホスト装置との間で種々のデータのやりとりが可能である。
【００１８】
メールサーバ装置ＳＭは、ローカルエリアネットワーク（LAN）に接続されているワークステーション装置ＷＳ１〜ＷＳｎを利用するユーザ及びネットワークファクシミリ装置ＦＸに対して電子メールの収集、配信サービスを提供するものである。
【００１９】
また、ワークステーション装置ＷＳ１〜ＷＳｎには、ローカルエリアネットワーク（LAN）を介して種々のデータのやりとりを行うアプリケーションソフトウェア（電子メールアクセスなど）やネットワークファクシミリ装置ＦＸより受信した電子メールに含まれる画情報を処理するアプリケーションソフトウェア（ビューワなど）など種々のプログラムが導入されていて、特定のユーザにより使用されるものである。特定のユーザは、１人または複数人であってもよい。
【００２０】
また、ネットワークファクシミリ装置ＦＸは、ローカルエリアネットワーク（LAN）における電子メールの送受信機能と公衆網（PSTN）に接続し、この公衆網を伝送路として用いてグループ３ファクシミリ伝送手順による画情報伝送を行う伝送機能を備えている。
【００２１】
本実施の形態において、ローカルエリアネットワーク（LAN）に接続されている端末相互間でのデータのやりとり（モデム情報（ＰＣ−ＦＡＸ）のリダイレクトによる、ATコマンドや画データ）は、TCP/IPという通信プロトコルを用いて行う。
【００２２】
また、本実施例では、ワークステーション装置ＷＳ１〜ＷＳｎからネットワークファクシミリ装置ＦＸに対し、公衆網に接続されたファクシミリ装置へ画情報の中継送信依頼を行うことができ、その中継依頼画情報の送信には、PC-FAXアプリケーションからのリダイレクトにより適用される。なお、この場合のローカルエリアネットワーク（LAN）は、インターネットに接続されているので、インターネットに接続されている他のワークステーション装置等のユーザも、このネットワークファクシミリ装置ＦＸに対して画情報の中継送信依頼を行うことができる。
【００２３】
図２に本実施の形態に係るネットワークファクシミリ装置ＦＸの構成について示す。
【００２４】
同図において、システム制御部１は、このネットワークファクシミリ装置ＦＸの各部の制御処理、およびファクシミリ伝送制御手順などの各種制御処理を行うものである。
【００２５】
システムメモリ２は、システム制御部１が実行る制御処理プログラムおよび処理プログラムを実行するときに必要な各種データなどを記憶するとともにシステム制御部１のワークエリアを構成するものである。
【００２６】
パラメータメモリ３は、このネットワークファクシミリ装置に固有な各種の情報を記憶するためのものである。
【００２７】
時計回路４は、現在時刻情報を出力するものである。
【００２８】
スキャナ５は、所定の解像度で原稿画像を読みとるためのものである。
【００２９】
プロッタ６は、所定の解像度で画像を記録出力するものである。
【００３０】
操作表示部７は、このファクシミリ装置を操作するためのもので、各種の操作キー、および各種の表示器からなる。
【００３１】
符号化復号化部８は、画信号を符号化圧縮するとともに、符号化圧縮された状態の画情報を多数記憶するためのものである。
【００３２】
画像蓄積装置９は、符号化圧縮された状態の画情報を多数記録するためのものである。
【００３３】
グループ３ファクシミリモデム１０は、グループ３ファクシミリのモデム機能を実現するものである。
【００３４】
網制御装置１１は、このネットワークファクシミリ装置を電話回線網（PSTN）に接続するためのものであり、自動発着信機能を備えている。
【００３５】
ローカルエリアネットワークインターフェース回路１２は、このネットワークファクシミリ装置ＦＸをローカルエリアネットワークに接続するためのものであり、ローカルエリアネットワーク伝送制御部１３は、ローカルエリアネットワークを介して他のデータ端末装置との間で種々のデータをやりとりするための各種所定のプロトコルの通信制御処理（電子メール送受信処理など）を実行するためのものである。
【００３６】
これらのシステム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、ローカルエリアネットワーク伝送制御部１３は、内部バス１４に接続されていてこれらの各要素間でのデータやりとりは、主として内部バス１４を介して行われている。また、網制御装置１１とグループ３ファクシミリモデム１０との間のデータのやりとりは直接行われている。
【００３７】
次に、以上の構成のネットワークファクシミリ装置ＦＸにおける接続要求監視処理手順について図３を参照して説明する。
【００３８】
同図において、先ず、ＬＡＮインターフェイス１２により、自装置宛のＬＡＮデータがあるかを常にチェックし（判断１０１のＮｏループ）、自装置宛のＬＡＮデータがあった場合には（判断１０１のＹｅｓ）、その自装置宛のＬＡＮデータがワークステーション装置ＷＳ１等で稼働するリダイレクタからの接続要求のコマンドであるか否かを判断し（判断１０２）、リダイレクタからの接続要求でない場合には（判断１０２のＮｏ）、ＬＡＮデータの内容に応じた、メール処理やＰＣユーティリティ処理などの、その他の処理を行うが（処理１０３）、リダイレクタからの接続要求である場合には（判断１０２のＹｅｓ）、接続要求対応処理を行う（処理１０４）。
【００３９】
処理１０４の接続要求対応処理の具体的な処理手順について、図４を参照して説明する。
【００４０】
同図において、先ず図３の判断１０１において自装置宛のＬＡＮデータとして受信した接続要求コマンドを解析する（処理２０１）。その接続要求コマンドの解析では、図１２の接続シーケンスのフェーズＦ１ｂのATコマンドを解析して、例えば、ATDT0354320123のダイヤルデータ部分を抽出して（処理２０２）、図５の判断３０１に移行し、電話番号データ指定のPSTNを用いた接続要求かどうかの判断を行う。
【００４１】
なお、図１２の通信シーケンスは、ワークステーション装置ＷＳ１等となるＰＣ上で稼働するファクス通信ソフトと、ＰＣ上で稼働するリダイレクタとのＰＣ内部でのやりとりと、ネットワークを介したリダイレクタとネットワークファクシミリ装置１とのやりとりとの関係を示したものである。
【００４２】
さて、ダイヤルデータ部にワンタッチ番号または短縮番号が指定されていた場合には、その番号に対応して特定される予め記憶している接続先指定情報を読み出して判断を行う。
【００４３】
図５の判断３０１において、ダイヤルデータが電話番号データである場合には（判断３０１のＹｅｓ）、電話番号対応処理を行う（処理３０２）。
【００４４】
図５の判断３０１において、ダイヤルデータが電話番号データでない場合には（判断３０１のＮｏ）、更に、例えば、ATDT#02のダイヤルデータ部分を抽出して得られるワンタッチダイヤル、短縮ダイヤルに対応する登録データを読み出し（処理３０３）、その読み出したデータが電話番号データであった場合には（判断３０４のＹｅｓ）、電話番号対応処理を行う（処理３０２）。電話番号データではなく、電子メールアドレスであった場合には（判断３０４のＮｏ）、メールアドレス対応処理を行う（処理３０５）。
【００４５】
このように、ダイヤルデータとして直接電話番号が指定されるか、または、ワンタッチダイヤルの番号や短縮ダイヤルの番号により間接的に電話番号が指定された場合には、電話番号指定のリダイレクト接続要求に対応するための電話番号対応処理（処理３０２）が行われ、ダイヤルデータとしてワンタッチダイヤルの番号や短縮ダイヤルの番号により間接的に電子メールアドレスが指定された場合には、メールアドレス指定のリダイレクト接続要求に対応するためのメールアドレス対応処理（処理３０５）が行われることになる。なお、本実施の形態では、LAN（電子メールアドレス）かPSTN（電話番号）かを判断基準としてリダイレクト接続要求の拒否／許可の判断を行うようにしているが、Ｇ３とＧ４等の回線種別による送信制限も可能である。
【００４６】
図６に、図５の電話番号対応処理（処理３０２）及びメールアドレス対応処理（処理３０５）のそれぞれの具体的な処理手順例について示す。
【００４７】
図６において、電話番号対応処理では、リダイレクト接続要求元装置に対して、ビジー応答を返すことで、リダイレクト接続要求を拒否してしまい、それ以上のリダイレクト通信処理を中止するようにする（処理４０１）。
【００４８】
また、図６において、メールアドレス対応処理では、リダイレクト接続要求元装置に対して、図１２のフェーズＦ２ｂに示すように接続許可応答を返すことでリダイレクト接続要求を受諾して（処理５０１）、以後のリダイレクト通信処理を続行する（処理５０２）。
【００４９】
また、図６に示した、図５の電話番号対応処理（処理３０２）及びメールアドレス対応処理（処理３０５）のそれぞれの具体的な処理手順例に代えて、図７に示す具体的な処理手順例を適用するようにしてもよい。
【００５０】
図７において、電話番号対応処理では、リダイレクト接続要求元装置に対して、図１２のフェーズＦ２ｂに示すように接続許可応答を返すことでリダイレクト接続要求を受諾して（処理６０１）、以後のリダイレクト通信処理を続行する（処理６０２）。
【００５１】
また、図７において、メールアドレス対応処理では、リダイレクト接続要求元装置に対して、ビジー応答を返すことで、リダイレクト接続要求を拒否してしまい、それ以上のリダイレクト通信処理を中止するようにする（処理７０１）。
【００５２】
また、図４及び図５に示した接続要求対応処理の具体的な処理手順のうちの図４の分の処理手順として、図８に示す処理手順を適用するようにしてもよい。
【００５３】
図８において、先ず図３の判断１０１において自装置宛のＬＡＮデータとして受信した接続要求コマンドを解析する（処理８０１）。その接続要求コマンドの解析では、図１２の接続シーケンスのフェーズＦ１ｂのATコマンドを解析して、例えば、ATDT#**03のダイヤルデータ部分を抽出して（処理８０２）、グループダイヤルのデータであるかを判断し（判断８０５）、グループダイヤルのデータではない、電話番号やワンタッチダイヤル番号、短縮ダイヤル番号である場合には処理８０５のＮｏ）、図５の処理３０１に以降するが、グループダイヤルのデータである場合には（判断８０５のＹｅｓ）、指定されたグループダイヤルに対応して登録しているグループメンバーを読み出し（処理８０４）、メンバーとして、電話番号の接続先とメールアドレスの接続先とが混在していないかを確認し（判断８０５）、混在していないで、電話番号のみ、または、メールアドレスのみである場合には（判断８０５のＮｏ）、図５の処理３０１に以降するが、混在している場合には（判断８０５のＹｅｓ）、リダイレクト接続要求元装置に対して、ビジー応答を返すことで、リダイレクト接続要求を拒否してしまい、それ以上のリダイレクト通信処理を中止するようにする（処理８０６）。
【００５４】
また、図４及び図５に示した接続要求対応処理の具体的な処理手順のうちの図４の分の処理手順として、図９に示す処理手順を適用するようにしてもよい。
【００５５】
図９において、先ず図３の判断１０１において自装置宛のＬＡＮデータとして受信した接続要求コマンドを解析する（処理９０１）。その接続要求コマンドの解析では、図１２の接続シーケンスのフェーズＦ１ｂのATコマンドを解析して、例えば、ATDT#**03のダイヤルデータ部分を抽出して（処理９０６）、図５の処理３０１に以降する。
【００５６】
その処理９０１の後、処理９０６の前に、判断９０２、判断９０３、判断９０４及び、判断によっては処理９０５を行う。
【００５７】
判断９０２においては、現在利用者制限モードに設定されているか否かを判断し、利用者制限モードに設定されていない場合には（判断９０２のＮｏ）、利用者制限は不要なため、何もしないで処理９０６のダイヤルデータ抽出処理に移行する。
【００５８】
利用者制限モードに設定されている場合には（判断９０２のＹｅｓ）、識別情報としてのＦコードが、図１２のフェーズＦ１ｂにおける接続要求コマンドに付加されて通知されているかを判断する（判断９０３）。
【００５９】
Ｆコードが通知されていない場合には（判断９０３のＮｏ）、利用制限を解除するわけにはいかないため、リダイレクト接続要求元装置に対して、ビジー応答を返すことで、リダイレクト接続要求を拒否してしまい、それ以上のリダイレクト通信処理を中止するようにする（処理９０５）。
【００６０】
Ｆコードが通知されている場合には（判断９０３のＹｅｓ）、更に、Ｆコードが予め登録されているＦコードテーブルに、通知されたＦコードと一致するものがあるかを判断する（判断８０４）。
【００６１】
そして、一致するものがない場合には（判断９０４のＮｏ）、利用制限を解除するわけにはいかないため、リダイレクト接続要求元装置に対して、ビジー応答を返すことで、リダイレクト接続要求を拒否してしまい、それ以上のリダイレクト通信処理を中止するようにする（処理９０５）。
【００６２】
一致するものがある場合には（判断９０４のＹｅｓ）、利用制限解除の条件を満たすため、処理９０６のダイヤルデータ抽出処理に移行し、処理９０６の後は、図５の判断３０１に移行する。
【００６３】
これにより、利用者制限を、接続先が電話番号かメールアドレスかの別の判断のみならず、Ｆコードの一致／不一致により制御することができ、いっそう厳密な利用者制限ができるようになる。
【００６４】
また、図４及び図５に示した接続要求対応処理の具体的な処理手順のうちの図４の分の処理手順として、図１０に示す処理手順を適用するようにしてもよい。
【００６５】
図１０において、先ず図３の判断１０１において自装置宛のＬＡＮデータとして受信した接続要求コマンドを解析する（処理１００１）。その接続要求コマンドの解析では、図１２の接続シーケンスのフェーズＦ１ｂのATコマンドを解析して、例えば、ATDT#**03のダイヤルデータ部分を抽出して（処理１００６）、図５の処理３０１に以降する。
【００６６】
その処理１００１の後、処理１００６の前に、判断１００２、判断１００３、判断１００４及び、判断によっては処理１００５を行う。
【００６７】
判断１００２においては、現在利用者制限モードに設定されているか否かを判断し、利用者制限モードに設定されていない場合には（判断１００２のＮｏ）、利用者制限は不要なため、何もしないで処理１００６のダイヤルデータ抽出処理に移行する。
【００６８】
利用者制限モードに設定されている場合には（判断１００２のＹｅｓ）、識別情報としてのＦコードが、図１２のフェーズＦ１ｂにおける接続要求コマンドに付加されて通知されているかを判断する（判断１００３）。
【００６９】
Ｆコードが通知されていない場合には（判断１００３のＮｏ）、利用制限を解除するわけにはいかないため、リダイレクト接続要求元装置に対して、ビジー応答を返すことで、リダイレクト接続要求を拒否してしまい、それ以上のリダイレクト通信処理を中止するようにする（処理１００５）。
【００７０】
Ｆコードが通知されている場合には（判断１００３のＹｅｓ）、更に、Ｆコードが予め登録されている特別Ｆコードと一致するかを判断する（判断１００４）。
【００７１】
一致しない場合には（判断１００４のＮｏ）、利用制限を解除するわけにはいかないため、リダイレクト要求元装置に対して、ビジー応答を返すことで、リダイレクト要求を拒否してしまい、それ以上のリダイレクト通信処理を中止するようにする（処理１００５）。
【００７２】
一致する場合には（判断１００４のＹｅｓ）、利用制限解除の条件を満たすため、処理１００６のダイヤルデータ抽出処理に移行し、処理１００６の後は、図５の判断３０１に移行する。その場合の図５の処理手順においては、ダイヤルデータが電話番号またはメールアドレスであるかを判断を行わずに、無条件にリダイレクト接続要求を受諾して、リダイレクト通信処理を続行するようにして、特別Ｆコードとの一致のみで緊急避難的なリダイレクト接続要求を受け入れるようにしてもよい。
【００７３】
これにより、利用者制限を特別Ｆコードとの一致のみで解除することができ、緊急のリダイレクト接続要求に対して柔軟に応答することができるようになる。
【００７４】
また、図４及び図５に示した接続要求対応処理の具体的な処理手順として図１１に示す処理手順を適用するようにしてもよい。
【００７５】
図１１において、先ず図３の判断１０１において自装置宛のＬＡＮデータとして受信した接続要求コマンドを解析する（処理１１０１）。その接続要求コマンドの解析では、図１２の接続シーケンスのフェーズＦ１ｂのATコマンドを解析して、例えば、ATDT#**03のダイヤルデータ部分を抽出する（処理１１０２）。
【００７６】
そして、識別情報としてのＦコードが、図１２のフェーズＦ１ｂにおける接続要求コマンドに付加されて通知されているかを判断する（判断１１０３）。
【００７７】
Ｆコードが通知されていない場合には（判断１１０３のＮｏ）、そのまま処理を終了する。
【００７８】
Ｆコードが通知されている場合には（判断１１０３のＹｅｓ）、その通知されたＦコードを、予め記憶されているコマンドテーブルと照合する（処理１１０４）。その照合の結果、通知されたＦコードに対応する制御コマンドが登録されていない場合には（判断１１０６のＮｏ）、そのまま処理を終了する。
【００７９】
通知されたＦコードに対応する制御コマンドが登録されている場合には（判断１１０６のＹｅｓ）、そのＦコードに対応する制御コマンドが利用者制限コマンドであるかを判断し（判断１１０７）、利用者制限コマンドである場合には（判断１１０７のＹｅｓ）、利用者制限モードに設定する（処理１１０８）。
【００８０】
利用者制限コマンドでない場合には（判断１１０７のＮｏ）、更に、通知されたＦコードに対応する制御コマンドが利用者制限解除コマンドであるかを判断し（判断１１０９）、利用者制限解除コマンドである場合には（判断１１０９のＹｅｓ）、利用者制限モードを解除する（処理１１０９）。
【００８１】
これにより、利用者制限モードの設定／解除をリダイレクト接続要求元の装置から遠隔制御することができるようになる。
【００８２】
このように本実施の形態によれば、リダイレクト接続要求に係るファクシミリ送信の制限を簡単に行うことができるようになる。
【００８３】
なお、以上説明した実施の形態においては、本発明をネットワーク及び公衆回線に接続されるネットワークファクシミリ装置に適用したが、本発明は、ネットワークファクシミリ装置が接続されるネットワークのプロトコルや、公衆回線の種別（ＰＳＴＮ、ＩＳＤＮ等）により限定されるものではないのはいうまでもない。
【００８４】
【発明の効果】
請求項１に係る発明によれば、前記ネットワーク上の他装置からのファクシミリ送信のリダイレクト要求を受けた際に、当該他装置から通知される接続先指定情報が電話番号の場合には、接続先装置が公衆回線上の装置であるとして、ファクシミリ送信のリダイレクト要求を拒否することができるため、簡単にファクシミリ送信制限を行うことが可能となる効果が得られる。特に、接続先が電話番号の場合に拒否することで不正な通信を防ぐことにより、公衆回線を介したリダイレクト通信に課金される通信料金の削減がはかれる利点がある。
【００８５】
請求項２に係る発明によれば、前記ネットワーク上の他装置からのファクシミリ送信のリダイレクト要求受けた際に、当該他装置から通知される接続先指定情報がメールアドレスの場合には、接続先装置がネットワーク上の装置であるとして、ファクシミリ送信のリダイレクト要求を拒否することができるため、簡単にファクシミリ送信制限を行うことが可能となる効果が得られる。特に、接続先が電子メールアドレスの場合に通信を拒否することによりネットワークのトラフィックを防ぎつつ電話番号の場合には利用不可としないことのより利便性を損なわないように利用ができる。また、電話回線が内線の場合には、通信料金を意識する必要もなく利用できる。
【００８６】
請求項３に係る発明によれば、前記ネットワーク上の他装置からのファクシミリ送信のリダイレクト要求を受けた際に、当該他装置から通知される接続先指定情報が電話番号の場合には、ファクシミリ送信のリダイレクト要求を受諾して、リダイレクト処理を続行することができるため、簡単にファクシミリ送信制限を行うことが可能となる効果が得られる。特に、接続時が電話番号の場合に許可することにより、内線番号の場合には電話料金がかからないため、利用不可としないことのより利便性を損なわないように利用ができる。
【００８７】
請求項４に係る発明によれば、前記ネットワーク上の他装置からのファクシミリ送信のリダイレクト要求を受けた際に、当該他装置から通知される接続先指定情報がメールアドレスの場合には、ファクシミリ送信のリダイレクト要求を受諾して、リダイレクト処理を続行することができるため、簡単にファクシミリ送信制限を行うことが可能となる効果が得られる。特に、接続先が電子メールアドレスの場合に通信を許可することにより専用線で接続しているため電話料金のかからない方法でファクシミリができる手段を残すことにより、不正な通信を防ぎつつ利便性を損なわないように利用ができる。
【００８８】
請求項５に係る発明によれば、前記ネットワーク上の他装置からのファクシミリ送信のリダイレクト要求を受けた際に、当該他装置から通知される接続先指定情報が電話番号及びメールアドレス混在の場合には、ファクシミリ送信のリダイレクト要求を拒否することができるため、簡単にファクシミリ送信制限を行うことが可能となる効果が得られる。特に、接続先に電話番号と電子メールアドレスが混在している場合（グループダイヤルが指定された場合など）には、通信を拒否することにより通信（呼）ごとのエラーステータスを受け取れないようなリダイレクト要求元の他装置への配慮を行うことができる。
【００８９】
請求項６に係る発明によれば、接続先が電話番号かメールアドレス等の接続先指定情報の内容によるリダイレクト要求の許可／拒否の判断のみならず、Ｆコード等の所定の識別情報の一致／不一致の判断により、リダイレクト要求を許可／拒否することができるため、いっそう厳密にファクシミリの送信制限を行うことが可能となる効果が得られる。
【００９０】
請求項７に係る発明によれば、利用者制限モードに設定されていて、接続先指定情報の内容や、識別情報の一致／不一致によってリダイレクト要求の許可／拒否を行う場合でも、緊急を要するファクシミリ送信要求を受け付けるための特別識別情報がリダイレクト要求元から通知された場合には、通知された接続先指定情報によらずリダイレクト要求を受諾するようにしたため、緊急を要するファクシミリ送信要求に対応でき、利便性を高めることが可能となる効果が得られる。
【００９１】
請求項８に係る発明によれば、利用者制限モードの設定／解除を、本発明に係るネットワークファクシミリ装置本体の操作ではなく、リダイレクト要求元の他装置から遠隔制御により行うことができるため、本発明に係るネットワークファクシミリ装置とは設置場所が離れていることが多い他装置の設置場所から本発明に係るネットワークファクシミリ装置の設置場所までわざわざ移動することなく、利用者制限モードの設定／解除が行えるようになり、利便性を高めることが可能となる効果が得られる。
【図面の簡単な説明】
【図１】本発明の実施の形態に係るネットワークファクシミリ装置を含むネットワーク構成について示す図である。
【図２】本発明の実施の形態に係るネットワークファクシミリ装置のブロック構成を示す図である。
【図３】本発明の実施の形態に係るネットワークファクシミリ装置における接続要求監視処理手順について示すフローチャートである。
【図４】接続要求対応処理の具体的な処理手順について示すフローチャートである。
【図５】図４と共に、接続要求対応処理の具体的な処理手順について示すフローチャートである。
【図６】電話番号対応処理及びメールアドレス対応処理の具体的な処理手順について示すフローチャートである。
【図７】電話番号対応処理及びメールアドレス対応処理の具体的な処理手順について示すフローチャートである。
【図８】接続要求対応処理の具体的な処理手順について示すフローチャートである。
【図９】接続要求対応処理の具体的な処理手順について示すフローチャートである。
【図１０】接続要求対応処理の具体的な処理手順について示すフローチャートである。
【図１１】接続要求対応処理の具体的な処理手順について示すフローチャートである。
【図１２】リダイレクト通信のシーケンスについて示す図である。
【符号の説明】
ＷＳ１、ＷＳ２、…、ＷＳｎ  ワークステーション装置
ＦＸ  ネットワークファクシミリ装置
ＳＭ  メールサーバ装置
ＲＴ  ルータ装置
１  システム制御部
２  システムメモリ
３  パラメータメモリ
４  時計回路
５  スキャナ
６  プロッタ
７  操作表示部
８  符号化復号化部
９  画像蓄積装置
１０  Ｇ３ＦＡＸモデム
１１  網制御装置
１２  ＬＡＮインターフェイス
１３  ＬＡＮ伝送制御部
１４  システムバス
【図１】
0003892645.tif 000002
【図２】
0003892645.tif 000003
【図３】
0003892645.tif 000004
【図４】
0003892645.tif 000005
【図５】
0003892645.tif 000006
【図６】
0003892645.tif 000007
【図７】
0003892645.tif 000008
【図８】
0003892645.tif 000009
【図９】
0003892645.tif 000010
【図１０】
0003892645.tif 000011
【図１１】
0003892645.tif 000012
【図１２】
0003892645.tif 000013